(57)【要約】【課題】一方の手で刃部の操作と光源による照射を可能として、他方の手による切断対象物の支持が行なえるものとし、かつ、光源は切断箇所をスポット的に照らすものとして周囲への影響もないものとし、さらには使用者の趣味感も十分に満足させることができるものとしたカッターとする。【解決手段】握持可能なケーシングを有し、そのケーシングの一端に弾発手段で附勢された刃部を備え、かつ、前記したケーシングの一部に光源を備えていることとし、前記したケーシングの他端近傍にはホルダー手段を備えていることとし、前記した刃部の先端にはトング部を形成してあることとする。【選択図】          図１
2004187892.tif 000002
【特許請求の範囲】
【請求項１】
握持可能なケーシングを有し、そのケーシングの一端に弾発手段で附勢された刃部を備え、かつ、前記したケーシングの一部に光源を備えていることを特徴とするカッター。
【請求項２】
前記したケーシングの他端近傍にはホルダー手段を備えていることを特徴とする請求項１に記載のカッター。
【請求項３】
前記した刃部の先端にはトング部を形成してあることを特徴とする請求項１または請求項２に記載のカッター。
【請求項４】
前記した弾発手段はスプリングとしたことを特徴とする請求項１、請求項２または請求項３に記載のカッター。
【請求項５】
前記した光源はケーシングに内蔵された豆ランプとし、ケーシングに穿設され、透光材でカバーされた照射孔と対応されていることを特徴とする請求項１、請求項２、請求項３または請求項４に記載のカッター。
【請求項６】
前記した透光材はレンズとしたことを特徴とする請求項５に記載のカッター。
【請求項７】
前記したホルダー手段はリストバンドとしたことを特徴とする請求項２、請求項３、請求項４、請求項５または請求項６に記載のカッター。
【請求項８】
前記したホルダー手段はリングと連結部材としたことを特徴とする請求項２、請求項３、請求項４、請求項５または請求項６に記載のカッター。
【請求項９】
前記したケーシングの他端側近傍に蛇腹部を設けてあることを特徴とする請求項１、請求項２、請求項３、請求項４、請求項５、請求項６、請求項７または請求項８に記載のカッター。
【請求項１０】
前記したケーシングは全体として魚体を模して成形され、刃部はその口部分に対応させ、照射孔をその眼部分に対応させ、かつ、刃部の操作部を鰭部分に対応させてあることを特徴とする請求項１、請求項２、請求項３、請求項４、請求項５、請求項６、請求項７、請求項８または請求項９に記載のカッター。
【発明の詳細な説明】
【０００１】
【発明の属する技術分野】
本発明はカッターに関し、特に釣りやキャンプ等々のアウトドアでの使用、あるいは屋内にあっても暗所での使用に至便なカッターに関する。
【０００２】
【特許文献】
本発明に関し、出願人は先行技術の調査を行なうも、該当する文献を発見することはできなかった。
【０００３】
【発明の背景】
従来、夜釣りをはじめ、アウトドアにあって、あるいは暗所にあって、糸や紙、草花等を切断する際には、片方の手で懐中電灯等の光源を持ち、他の手でハサミ等の切断器具としてのカッターを使用することとなる。
【０００４】
【発明が解決しようとする課題】
しかしながら、上記した状況でのカッターの使用は切断対象物を支える作業がうまく行なえず、切断作業が極めて不安定なものとなり、切断個所がずれてしまったり、切断対象物が刃部から逃げ、思うように目的を達成できないことがあった。また、特に夜釣りにあっては周囲に居る他の釣り人に迷惑をかけたり、釣りの対象としている魚の種類によっては灯りが水面に至ることで悪影響を及ぼしてしまうこともあった。
【０００５】
【発明の目的】
そこで、本発明は上記した従来の実情、問題点に着目してなされたもので、かかる問題点を解消して、一方の手で刃部の操作と光源による照射を可能として、他方の手による切断対象物の支持が行なえるものとし、かつ、光源は切断箇所をスポット的に照らすものとして周囲への影響もないものとし、さらには使用者の趣味感も十分に満足させることができるものとしたカッターを提供することを目的としている。
【０００６】
【課題を解決するための手段】
この目的を達成するために、本発明に係るカッターは握持可能なケーシングを有し、そのケーシングの一端に弾発手段で附勢された刃部を備え、かつ、前記したケーシングの一部に光源を備えていることを特徴とし、前記したケーシングの他端近傍にはホルダー手段を備えていることを特徴とし、前記した刃部の先端にはトング部を形成してあることを特徴とし、前記した弾発手段はスプリングとしたことを特徴とし、前記した光源はケーシングに内蔵された豆ランプとし、ケーシングに穿設され、透光材でカバーされた照射孔と対応されていることを特徴とし、前記した透光材はレンズとしたことを特徴としている。
【０００７】
また、本発明に係るカッターは前記したホルダー手段はリストバンドとしたことを特徴とし、前記したホルダー手段はリングと連結部材としたことを特徴とし、前記したケーシングの他端側近傍に蛇腹部を設けてあることを特徴としている。
【０００８】
さらに、本発明は前記したケーシングは全体として魚体を模して成形され、刃部はその口部分に対応させ、照射孔をその眼部分に対応させ、かつ、刃部の操作部を鰭部分に対応させてあることを特徴としている。
【０００９】
【作用】
本発明に係るカッターは上記のように構成されている。そのため、片手でケーシングを握持した状態で光源と刃部の操作を実行することができ、他の手で切断対象物の支持が行なえ、正確に切断作業を行なうことができることとなり、また、光源も切断箇所を最小限に照らすものとなり、周囲への悪影響もない。さらには全体を形づくる意匠から、使用者の趣味感も十分に満足させることができることとなるのである。
【００１０】
【発明の実施の形態】
次に、本発明の好ましい実施の形態を図面を参照して説明する。図１は本発明を実施したカッターの構成を示す図、図２は同じく第二の実施例を示す側面図、図３は同じく正面図、図４は同じく背面図である。
【００１１】
これらの図にあって１はケーシングを示しており、このケーシング１は片手での握持が可能な程度のサイズとされており、左右を合わせて一体化される分割構成のものとなっている。
【００１２】
また、このケーシング１は全体として魚体を模した構成となっており、一方端部側を魚体としての頭部とし、他方端部は尾鰭を想定したものとしている。
【００１３】
このケーシング１の一方端部には軸芯２が設けられ、この軸芯２を中心として作動する和鋏タイプのカッター３が備えられている。このカッター３は軸芯２に巻装あるいは掛けられた板バネや弦巻バネ等のスプリング４によって常時、その刃部５・５を開放状態に附勢されている。
【００１４】
また、このカッター３の外側面には背鰭や腹鰭を模した挟圧操作部６・６が備えられ、この挟圧操作部６・６を前記したスプリング４の附勢力に抗して押圧することで刃部５・５が交差摺接し、目的物を切断することができることとなる。
【００１５】
このカッター３の構成としては弾発手段としてスプリング４に代えてゴム等を使用することも可能であり、縦方向に軸芯を通し、カッター３の一方側を板バネとして梃子の応用をすれば刃部５・５同士を当接させる爪切りタイプとして構成することもできる。
【００１６】
さらに、この実施の形態にあって刃部５・５の先端部分には内面を平坦なものとしたトング部（挟み部）７・７が形成されている。このトング部７・７の存在によって物を摘むことをはじめ、釣り等の際に生餌に触るのが苦手な人でも釣り針への装着もできるようになり、大きな餌の切断も可能となり、刃部５・５間が狭くなることで糸等は押し切りも可能となる。加えて刃部５・５の先端が突出することもなくなり、危険防止にも効を奏する。
【００１７】
また、図中８は光源としての豆ランプを示しており、この豆ランプ８はケーシング１としての魚体の眼部分から光が照射されるようになっている。この実施の形態としては、豆ランプ８の電源としてバッテリー９がボックスに収容されるものとなっており、スライドタイプの操作子１０によって回路が開閉されるようになっている。図中１１は電気のための配線を示している。
【００１８】
また、このスイッチング機構もスライドタイプのものに限らず、押し釦やメンブレイン、トルグ等の種々のタイプのものが使用可能で、必要とあれば、スイッチング機構をカッター３の操作部６・６と連動させることもできる。
【００１９】
さらに、光源としての豆ランプ８もＬＥＤや小型蛍光灯等で代替することもでき、本実施の形態にあっては豆ランプ８からの照射孔を透光材によるカバー、それもレンズ１２・１２を用いてカバーしてある。
【００２０】
そして、図中１３はアウトドアとして便利な方位を示す磁石で、ケーシング１の外側面に固設されている。
【００２１】
一方、ケーシング１の他端寄りにはホルダー部材としてのリストバンド１４が装備されている。このリストバンド１４はフレキシブルな素材で成形されており、この実施の形態では一端にボッチ１４ａを備え、他端側にそのボッチ１４ａが圧嵌入される受けの透孔１４ｂ・１４ｂ‥が列設されたものとなっている。
【００２２】
また、図２として示す第二の実施例の場合には、前記したリストバンド１４に代えて、ホルダー部材としてリング１５・１５とそのリング１５・１５を連結する伸縮性の連結材１６を用いることとしてある。この場合にはケーシング１をリストではなく、ズボンのベルトループ等の使用者の好みの位置に継なぐことができることとなる。なお、１７・１７‥はリング１５を装着するための透孔を示している。
【００２３】
さらに、この第二の実施例にあってはケーシング１の後端寄りに蛇腹部１８を形成し、その蛇腹部１８を基部として、ケーシング１を揺動可能とし、先端側となる刃部５・５やレンズ１２・１２の方向性を容易に変換できるものとしている。なお、図中１９はバッテリー９のボックス蓋であり、バッテリー９の交換を行なえるようにしている。
【００２４】
そして、電源としてのバッテリー９は乾電池やリチウム電池等に限らず、コードを使用すれば、自動車のシガレットライター用アウトレットとつなぎ、自動車のバッテリーを電源として使用することも可能となる。
【００２５】
【発明の効果】
本発明に係るカッターは上述のように構成されている。そのため、カッター及び光源を共に片手で保持することができ、他の手で切断対象物を保持することができる。従って、夜釣り等の暗所にあっても目的物を容易に正確に切断することができることとなり、周囲への悪影響もなくなるものとなる。加えて、全体の意匠から使用者の趣味感も十分に満足させることができ、各種のプレゼント用品等としても大きな需要が見込め、その使用用途も釣り糸の切断のほか、広範囲に及ぶものとなる。
【図面の簡単な説明】
【図１】本発明を実施したカッターの構成を示す図である。
【図２】第二の実施例を示す側面図である。
【図３】正面図である。
【図４】背面図である。
【符号の説明】
１  ケーシング
２  軸芯
３  カッター
４  スプリング
５  刃部
６  挟圧操作部
７  トング部
８  豆ランプ
９  バッテリー
１０  操作子
１１  配線
１２  レンズ
１３  磁石
１４  リストバンド
１５  リング
１６  連結材
１７  透孔
１８  蛇腹部
１９  ボックス蓋
【図１】
2004187892.tif 000003
【図２】
2004187892.tif 000004
【図３】
2004187892.tif 000005
【図４】
2004187892.tif 000006